Podtech/llm-jp-corpus-v4-ja_patent huggingface dataset:
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
ビデオデータを検索する方法であって、前記方法は、
ビデオビットストリームのサンプルに関するサンプルエントリータイプを記述するデータを受信することと、前記サンプルエントリータイプは、'hev1'または'hev2'のうちの１つであり、ここにおいて、前記サンプルは、Ｈｉｇｈ−Ｅｆｆｉｃｉｅｎｃｙ  Ｖｉｄｅｏ  Ｃｏｄｉｎｇ（ＨＥＶＣ）またはレイヤードＨＥＶＣ（Ｌ−ＨＥＶＣ）のうちの１つに従って符号化されたビデオデータを備え、ビデオデータを含む１つまたは複数の他のサンプルは、復号順序において前記ビデオビットストリームにおける前記サンプルに先行し、前記サンプルの前記ビデオデータは、ファイルの複数のトラックのうちの１つのトラックに含まれ、前記複数のトラックは、シングルレイヤまたはマルチレイヤのビデオデータを含む前記複数のトラックのサブセットを含む、
便利なランダムアクセスが、最も低い時間サブレイヤを有する前記複数のトラックの前記サブセットのうちの１つに関してイネーブルされていることを決定することに応答して、便利なランダムアクセスが、前記複数のトラックの各々に関してイネーブルされていることを決定することと、
前記サンプルエントリータイプが'hev1'または'hev2'であり、前記サンプルがＨＥＶＣまたはＬ−ＨＥＶＣのうちの１つに従って符号化された前記ビデオデータを備えることに応答して、前記サンプルに先行する前記１つまたは複数の他のサンプルのうちのいずれの前記ビデオデータを検索することなしに、および復号順序において前記ビデオビットストリームのいずれの前のサンプルのパラメータセットを検索することなしに、前記サンプルを使用してランダムアクセスを行うために前記サンプルを検索することと
を備える、方法。
【請求項２】
前記サンプルに対応するサンプルエントリーにおいて、または前記サンプルにおいて、のうちの少なくとも１つにおいて、前記サンプルを記述するパラメータセットを受信することをさらに備える、請求項１に記載の方法。
【請求項３】
前記サンプルは、ＨＥＶＣに従って、前記ビデオデータを備え、前記サンプルエントリータイプは、'hev2'である、請求項１に記載の方法。
【請求項４】
前記サンプルの前記ビデオデータは、ファイルのトラックにおいて含まれる、請求項１に記載の方法。
【請求項５】
前記ファイルは、複数のトラックを含み、前記トラックの各々は、Ｌ−ＨＥＶＣのレイヤに対応する、請求項４に記載の方法。
【請求項６】
前記サンプルの前記ビデオデータは、ファイルの複数のトラックのうちの１つのトラックに含まれ、前記複数のトラックは、シングルレイヤまたはマルチレイヤのビデオデータを含む前記複数のトラックのサブセットを含み、前記方法は、前記複数のトラックの前記サブセットのうちの各々が、便利なランダムアクセスがイネーブルされていることを示すサンプルエントリータイプを有するサンプルを含むことを決定することをさらに備える、請求項１に記載の方法。
【請求項７】
ビデオデータを検索するためのデバイスであって、前記デバイスは、
ビデオビットストリームのサンプルに関するサンプルエントリータイプを記述するデータを受信するための手段と、前記サンプルエントリータイプは、'hev1'または'hev2'のうちの１つであり、ここにおいて、前記サンプルは、Ｈｉｇｈ−Ｅｆｆｉｃｉｅｎｃｙ  Ｖｉｄｅｏ  Ｃｏｄｉｎｇ（ＨＥＶＣ）またはレイヤードＨＥＶＣ（Ｌ−ＨＥＶＣ）のうちの１つに従って符号化されたビデオデータを備え、ビデオデータを含む１つまたは複数の他のサンプルは、復号順序において前記ビデオビットストリームにおける前記サンプルに先行し、前記サンプルの前記ビデオデータは、ファイルの複数のトラックのうちの１つのトラックに含まれ、前記複数のトラックは、シングルレイヤまたはマルチレイヤのビデオデータを含む前記複数のトラックのサブセットを含む、
便利なランダムアクセスが、最も低い時間サブレイヤを有する前記複数のトラックの前記サブセットのうちの１つに関してイネーブルされていることを決定することに応答して、便利なランダムアクセスが、前記複数のトラックの各々に関してイネーブルされていることを決定するための手段と、
前記サンプルエントリータイプが'hev1'または'hev2'であり、前記サンプルがＨＥＶＣまたはＬ−ＨＥＶＣのうちの１つに従って符号化された前記ビデオデータを備えることに応答して、前記サンプルに先行する前記１つまたは複数の他のサンプルのうちのいずれの前記ビデオデータを検索することなしに、および復号順序において前記ビデオビットストリームのいずれの前のサンプルのパラメータセットを検索することなしに、前記サンプルを使用してランダムアクセスを行うために前記サンプルを検索するための手段と
を備える、デバイス。
【請求項８】
前記サンプルに対応するサンプルエントリーにおいて、または前記サンプルにおいて、のうちの少なくとも１つにおいて、前記サンプルを記述するパラメータセットを受信するための手段をさらに備える、請求項７に記載のデバイス。
【請求項９】
前記サンプルは、ＨＥＶＣに従って、前記ビデオデータを備え、前記サンプルエントリータイプは、'hev2'である、請求項７に記載のデバイス。
【請求項１０】
前記サンプルの前記ビデオデータは、ファイルのトラックにおいて含まれる、請求項７に記載のデバイス。
【請求項１１】
前記ファイルは、複数のトラックを含み、前記トラックの各々は、Ｌ−ＨＥＶＣのレイヤに対応する、請求項１０に記載のデバイス。
【請求項１２】
前記サンプルの前記ビデオデータは、ファイルの複数のトラックのうちの１つのトラックに含まれ、前記複数のトラックは、シングルレイヤまたはマルチレイヤのビデオデータを含む前記複数のトラックのサブセットを含み、前記複数のトラックの前記サブセットのうちの各々が、便利なランダムアクセスがイネーブルされていることを示すサンプルエントリータイプを有するサンプルを含むことを決定するための手段をさらに備える、請求項７に記載のデバイス。
【請求項１３】
前記デバイスは、ワイヤレス通信デバイスであり、前記ファイルを受信するように構成された受信機をさらに備える、請求項７に記載のデバイス。
【請求項１４】
前記ワイヤレス通信デバイスは、セルラ電話であり、前記ファイルは、前記受信機によって受信され、およびセルラ通信規格に従って変調される、請求項１３に記載のデバイス。
【請求項１５】
実行されると、プロセッサに、請求項１乃至６のいずれか１項に従う方法を実行させる命令を有する、コンピュータ可読記憶媒体。
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
少なくとも1つのサブフレームにおいてマルチキャスト情報またはブロードキャスト情報のうちの少なくとも一方を受信するための広帯域領域の少なくとも1つの狭帯域領域を決定するステップと、
前記少なくとも1つのサブフレームの中の前記決定された少なくとも1つの狭帯域領域において前記マルチキャスト情報または前記ブロードキャスト情報のうちの前記少なくとも一方を受信するステップと
を備える、方法。
【請求項２】
前記ブロードキャスト情報が、制御チャネルの反復数または前記制御チャネルの探索空間周期性のうちの少なくとも1つを示すシステム情報を備え、
前記方法が、前記システム情報に基づいて前記制御チャネルを監視するステップをさらに備える、
請求項1に記載の方法。
【請求項３】
受信すべき前記マルチキャスト情報または前記ブロードキャスト情報のうちの少なくとも一方を前記UEが有するという表示を基地局に提供するステップと、
前記表示に応答して前記基地局から無線リソース制御(RRC)接続解放メッセージを受信するステップであって、前記マルチキャスト情報または前記ブロードキャスト情報のうちの前記少なくとも一方が、前記UEがアイドルモードにある間に受信される、ステップと
をさらに備える、請求項1に記載の方法。
【請求項４】
前記少なくとも1つのサブフレームにおいて1つまたは複数の他の狭帯域領域における信号を監視するための優先度付けを適用するステップであって、前記優先度付けを適用するステップが、ユニキャストデータ信号を監視するために前記少なくとも1つのサブフレームの中の前記1つまたは複数の他の狭帯域領域を無視するステップを含む、ステップをさらに備える、請求項1に記載の方法。
【請求項５】
前記UEのためのソフトウェア更新が利用可能であるかどうかに関するチェックを実行するステップと、
前記UEのためのソフトウェア更新が利用可能である場合、前記ソフトウェア更新に関係する情報を要求するステップと
をさらに備え、
前記マルチキャスト情報または前記ブロードキャスト情報のうちの前記少なくとも一方が、前記ソフトウェア更新に関係する前記情報を備え、かつ前記要求に応答して受信される、
請求項1に記載の方法。
【請求項６】
前記マルチキャスト情報または前記ブロードキャスト情報のうちの前記少なくとも一方の反復を受信するステップをさらに備える、請求項1に記載の方法。
【請求項７】
前記マルチキャスト情報または前記ブロードキャスト情報のうちの前記少なくとも一方に対するリソース割振り、狭帯域インデックス、トランスポートブロックサイズ、または反復数のうちの少なくとも1つを示すシステム情報を受信するステップであって、前記少なくとも1つの狭帯域領域の前記決定が、前記受信されたシステム情報に基づく、ステップをさらに備える、請求項1に記載の方法。
【請求項８】
前記システム情報送信の開始ロケーションを示すアクティベーション許可を受信するステップと、
前記開始ロケーションに少なくとも部分的に基づいて前記システム情報を導出するステップと
をさらに備える、請求項7に記載の方法。
【請求項９】
制御情報が送信されるかどうかという表示を受信するステップであって、前記少なくとも1つの狭帯域領域を決定するために使用される技法が前記表示に基づく、ステップをさらに備える、請求項1に記載の方法。
【請求項１０】
基地局(BS)によるワイヤレス通信のための方法であって、
少なくとも1つのサブフレームにおいて情報をマルチキャストまたは情報をブロードキャストすることのうちの少なくとも一方のための広帯域領域の少なくとも1つの狭帯域領域を決定するステップと、
前記少なくとも1つのサブフレームの中の前記決定された少なくとも1つの狭帯域領域において前記情報をマルチキャストまたはブロードキャストするステップと
を備える、方法。
【請求項１１】
制御チャネルの反復数または前記制御チャネルの探索空間周期性のうちの少なくとも1つを示すシステム情報をブロードキャストするステップ
をさらに備える、請求項10に記載の方法。
【請求項１２】
受信すべきマルチキャスト情報またはブロードキャスト情報のうちの少なくとも一方をユーザ機器(UE)が有するという表示を前記UEから受信するステップと、
前記表示に応答して無線リソース制御(RRC)接続解放メッセージを前記UEへ送信するステップであって、前記情報をマルチキャストまたはブロードキャストするステップが、前記UEがアイドルモードにある間に行われる、ステップと
をさらに備える、請求項10に記載の方法。
【請求項１３】
請求項1〜9のいずれか一項に記載の方法を実施するための手段を備える、ユーザ機器(UE)によるワイヤレス通信のための装置。
【請求項１４】
請求項10〜12のいずれか一項に記載の方法を実施するための手段を備える、基地局(BS)によるワイヤレス通信のための装置。
【請求項１５】
請求項1〜12のいずれか一項に記載の方法を実施するための命令を備える、コンピュータプログラム。
【手続補正書】
【提出日】令和2年7月9日(2020.7.9)
【手続補正１】
【補正対象書類名】明細書
【補正対象項目名】００７７
【補正方法】変更
【補正の内容】
【００７７】
本明細書における本原理の「１つの実施形態（“one embodiment”）」又は「一実施形態（“an embodiment”）」、及びそれらの他のバリエーションに対する言及は、その実施形態に関連して記載された特定の特徴、構造、特性などが、本原理の少なくとも１つの実施形態に包含されることを意味する。従って、「１つの実施形態において」又は「一実施形態において」というフレーズの出現、その上、本明細書全体を通して様々な箇所に出現するその他のバリエーションは、必ずしも、全て同じ実施形態を指すわけではない。
なお、上述の実施形態の一部又は全部は、以下の付記のように記載され得るが、以下には限定されない。
（付記１）
変換係数のブロックを符号化する方法であって、
変換係数のサブセットがゼロであることが知られているように、前記変換係数を得るために部分変換を使用して画像値のブロックを変換することと、
前記変換係数の走査によって決定される最後の非ゼロ変換係数のブロックにおける位置を定義する２つの座標をエントロピー符号化することと、
を含み、
前記２つの座標の一方の座標（ｙ）の前記エントロピー符号化が、前記部分変換のサイズの知識に依存する、方法。
（付記２）
前記部分変換の前記サイズの知識が、ビットストリームでエンコードされる、付記１に記載の方法。
（付記３）
前記２つの座標のそれぞれをプレフィックスとサフィックスとに分けることと、
前記部分変換の前記サイズの知識から、前記ｙ座標の前記プレフィックスの値を推論することと、
をさらに含む、付記１又は２に記載の方法。
（付記４）
オフラインで学習された適応部分変換のセットが、前記画像値のブロックを変換するために使用され得る、付記１〜３のいずれか一項に記載の方法。
（付記５）
変換係数のセットを符号化する装置であって、
変換係数を得るために、部分変換を使用して画像値のブロックに関して動作する変換回路と、
前記変換係数の走査によって決定される前記変換係数から最後の符号化係数の位置を表す２つの座標を生成するエントロピー符号器であって、
前記最後の符号化係数の前記位置が、ｙ座標のエントロピー符号化が、前記部分変換のサイズの知識に依存することを特徴とする２つの座標（ｘ、ｙ）によって提供される、エントロピー符号器と、
を含む装置。
（付記６）
前記部分変換の前記サイズの知識が、ビットストリームでエンコードされる、付記５に記載の装置。
（付記７）
前記エントロピー符号器が、前記２つの座標のそれぞれをプレフィックスとサフィックスとに分け、及び前記ｘ座標から、前記ｙ座標の前記プレフィックスの値を推論する、付記５又は６に記載の装置。
（付記８）
変換係数のセットを復号する方法であって、
コードをエントロピー復号することによって、最後の符号化係数の位置を生成することであって、
前記最後の符号化係数の前記位置が、ｙ座標の前記エントロピー復号が、部分変換のサイズの知識に依存することを特徴とする２つの座標（ｘ、ｙ）によって提供されることと、
画像値のブロックを得るために、部分変換を使用して変換係数を逆変換することと、
を含む、方法。
（付記９）
前記部分変換の前記サイズの知識が、ビットストリームから復号される、付記８に記載の方法。
（付記１０）
前記２つの座標のそれぞれをプレフィックスとサフィックスとに分けることと、
前記部分変換の前記サイズの知識から、前記ｙ座標の前記プレフィックスの値を推論することと、
をさらに含む、付記８又は９に記載の方法。
（付記１１）
変換係数のセットを復号する装置であって、
前記変換係数からの最後の符号化係数の位置を表すコードに関して動作するエントロピー復号器であって、
前記最後の符号化係数の前記位置が２つの座標（ｘ、ｙ）によって提供され、ｙ座標のエントロピー復号が、部分変換のサイズの知識に依存することを特徴とする、エントロピー復号器と、
画像値のブロックを得るために、部分変換を使用して変換係数に関して動作する逆変換回路と、
を含む、装置。
（付記１２）
前記部分変換の前記サイズの知識が、ビットストリームから復号される、付記１１に記載の装置。
（付記１３）
前記エントロピー復号器が、前記２つの座標のそれぞれをプレフィックスとサフィックスとに分け、及び前記部分変換の前記サイズの知識から、前記ｙ座標の前記プレフィックスの値を推論する、付記１１又は１２に記載の装置。
（付記１４）
付記８〜１０のいずれか一項に記載の方法による変換係数のセットを復号するための、又は付記１〜４のいずれか一項に記載の変換係数のブロックを符号化するための命令を保存した、非一時的コンピュータ可読記憶媒体。
（付記１５）
付記８〜１０のいずれか一項に記載の方法によるビットストリームを保存した非一時的コンピュータ可読記憶媒体。
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
患者における衝動的攻撃性を判定する方法であって、
１つ又は複数の攻撃的出来事について前記患者を検査するステップであって、前記検査するステップは、質問表をスコアリングするステップを含み、前記スコアリングするステップは、累積スコアを提供し、前記検査するステップは更に、前記質問表への回答からの前記累積スコアに基づいて前記患者の攻撃的出来事リスクを判定するステップを含む、前記検査するステップと、
前記累積スコアが閾値を上回る場合、衝動的攻撃性介入を選択するステップと
を含み、
前記１つ又は複数の攻撃的出来事の各々は、怒鳴ること、叫ぶこと、脅すこと、引っ掻くこと、投げること、叩き付けること、自身を叩くこと、言い争うこと、罵ること、悪口を言うこと、押しやること、髪を引っ張ること、戦うこと、他人を叩くこと、及び他人を蹴ることを含む行動のグループによって特徴付けられ、前記行動は、前記介護人からの回答に基づいて観察されたもの（１とコード化）又は観察されていないもの（０とコード化）としてコード化され、
１つ又は複数の攻撃的出来事の間又は後の前記質問表を前記スコアリングするステップ、及び前記攻撃的出来事リスクを前記判定するステップは、コンピュータにより実施されるアルゴリズムを使用して実行される、方法。
【請求項２】
前記衝動的攻撃性介入の後、１つ又は複数の攻撃的出来事について前記患者を検査するステップと、  前記累積スコアが前記閾値又はベースラインを上回り、又は下回る場合、前記衝動的攻撃性介入が適切であるかを判定するステップとを更に含む、請求項１に記載の方法。
【請求項３】
前記質問表は、１つ又は複数の攻撃的出来事の各々が観察された後に前記１つ又は複数の攻撃的出来事の各々を報告するために介護人によって使用されるダイアリを含む、請求項１に記載の方法。
【請求項４】
前記質問表は更に、１日の間に報告される前記１つ又は複数の攻撃的出来事の各々を見直し、及び前に報告されていないいずれかの攻撃的出来事を入力することを前記介護人に促す、請求項３に記載の方法。
【請求項５】
固定された期間を通じた１つ又は複数の行動の頻度は、累積スコアを生成するために算出される、請求項１に記載の方法。
【請求項６】
前記累積スコアは、各々が行動のグループの前記頻度を表す、２つのスコアに基づいて算出される、請求項５に記載の方法。
【請求項７】
第１のスコアは、怒鳴ること、叫ぶこと、脅すこと、引っ掻くこと、投げること、叩き付けること、及び自身を叩くことから構成される行動のグループの前記頻度に基づいて算出され、第２のスコアは、言い争うこと、罵ること、悪口を言うこと、押しやること、髪を引っ張ること、戦うこと、他人を叩くこと、及び他人を蹴ることから構成される行動のグループの前記頻度に基づいて算出される、請求項６に記載の方法。
【請求項８】
前記累積スコアは、加重されたスコアとして算出される、請求項１に記載の方法。
【請求項９】
前記累積スコアは、加重されていないスコアとして算出される、請求項１に記載の方法。
【請求項１０】
前記選択するステップは、アルゴリズムによって実行される、請求項１に記載の方法。
【請求項１１】
前記衝動的攻撃性介入は、各々が相互に異なる特性を有する複数の衝動的攻撃性介入から選択される、請求項１に記載の方法。
【請求項１２】
前記衝動的攻撃性介入は、モリンドンである、請求項１１に記載の方法。
【手続補正書】
【提出日】令和2年6月26日(2020.6.26)
【手続補正１】
【補正対象書類名】明細書
【補正対象項目名】００４４
【補正方法】変更
【補正の内容】
【００４４】
実施例５−サバジラアルカロイドおよびエスフェンバレレートを用いたチャバネゴキブリの制御
本試験において、１０：１、１００：１および１：１の比のサバジラ(S. officinale)アルカロイドとエスフェンバレレートの適用に対するチャバネゴキブリ(Blattella germanica)の応答を観察する。特に、サバジラアルカロイドとエスフェンバレレートは、１)０．０５％ｗ／ｗと０．００５％ｗ／ｗ、２)０．５％ｗ／ｗと０．００５％ｗ／ｗ、３)０．０５％ｗ／ｗと０．０５％ｗ／ｗおよび４)０．５％ｗ／ｗと０．０５％ｗ／ｗの各比で有害生物に適用される。
【手続補正２】
【補正対象書類名】明細書
【補正対象項目名】００４６
【補正方法】変更
【補正の内容】
【００４６】
実施例６−サバジラアルカロイドおよびエスフェンバレレートを用いたイエバエの制御
本試験において、サバジラ(S. officinale)アルカロイドとエスフェンバレレートの比が１０：１、１００：１および１：１の適用に対するイエバエ(Musca domestica)の応答を観察する。特に、サバジラアルカロイドとエスフェンバレレートは、１)０．０５％ｗ／ｗと０．００５％ｗ／ｗ、２)０．５％ｗ／ｗと０．００５％ｗ／ｗ、３)０．０５％ｗ／ｗと０．０５％ｗ／ｗおよび４)０．５％ｗ／ｗと０．０５％ｗ／ｗの各比で有害生物に適用される。
【手続補正３】
【補正対象書類名】明細書
【補正対象項目名】００４８
【補正方法】変更
【補正の内容】
【００４８】
実施例７−サバジラアルカロイドおよびエスフェンバレレートを用いたトコジラミの制御
本試験において、サバジラ(S. officinale)アルカロイドとエスフェンバレレートの比が１０：１、１００：１および１：１の適用に対するトコジラミ(Cimex lectularius)の応答を観察する。特に、サバジラアルカロイドとエスフェンバレレートは、１)０．０５％ｗ／ｗと０．００５％ｗ／ｗ、２)０．５％ｗ／ｗと０．００５％ｗ／ｗ、３)０．０５％ｗ／ｗと０．５％ｗ／ｗおよび４)０．５％ｗ／ｗと０．０５％ｗ／ｗの各比で有害生物に適用される。
【手続補正４】
【補正対象書類名】明細書
【補正対象項目名】００５０
【補正方法】変更
【補正の内容】
【００５０】
実施例８−サバジラアルカロイドおよびエスフェンバレレートを用いたモモアカアブラムシの制御
本試験において、１．３：１、３３：１、１：２．５および１０：１の比のサバジラ(S. officinale)アルカロイドとエスフェンバレレートの適用に対するモモアカアブラムシ(Myzus persicae)の応答を観察する。特に、サバジラアルカロイドとエスフェンバレレートは、１)２２ｇ／ＨＡと１７ｇ／ＨＡ；２)５６０ｇ／ＨＡと１７ｇ／ＨＡ；３)２２ｇ／ＨＡと５６ｇ／ＨＡ；および４)５６０ｇ／ＨＡと５６ｇ／ＨＡの各比で有害生物に適用される。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
１又はそれ以上のウイルスによって起こる感染症の予防的又は治療的処置のための医薬の製造における殺ウイルス剤としてのキシボルノールの使用であって、当該ウイルスがヒトアデノウイルス、ヒトリノウイルス、ヒトコロナウイルス、及びそれらの組み合わせの少なくとも１つを含む、キシボルノールの使用。
【請求項２】
前記ヒトアデノウイルスがヒトアデノウイルス５である、請求項１に記載の使用。
【請求項３】
前記１又はそれ以上のウイルスによって起こる感染症が、かぜ、口腔疾患、又は上気道の疾患である、請求項１又は２に記載の使用。
【請求項４】
前記かぜ、口腔疾患、又は上気道の疾患が、扁桃腺炎、咽頭炎（pharyngitis）、咽頭炎（laryngitis）、又はアンギーナである、請求項３に記載の使用。
【請求項５】
前記キシボルノールが、経口的、鼻、鼻腔内、舌下、口内、筋肉内、静脈内、経皮的、皮下的、局所的、直腸的、又は眼の投与経路によって投与される、請求項１〜４のいずれか１項に記載の使用。
【請求項６】
前記キシボルノールが、経口投与経路によって投与される、請求項５に記載の使用。
【請求項７】
前記キシボルノールが、１５〜５６ｍｇ／日、好ましくは１８〜４８ｍｇ／日、より好ましくは２４〜３６ｍｇ／日の投薬量で投与される、請求項６に記載の使用。
【請求項８】
前記キシボルノールが、最大１０ｍｇのキシボルノール、好ましくは４〜８ｍｇのキシボルノール、より好ましくは５〜７ｍｇのキシボルノール、更により好ましくは６ｍｇのキシボルノールを含む単位剤形の形態である、請求項６又は７に記載の使用。
【請求項９】
前記単位剤形が、３〜８回／日、より好ましくは４〜６回／日で投与され、各回が、１〜９単位剤形、好ましくは１〜５単位剤形、より好ましくは１〜２単位剤形、更により好ましくは１単位剤形の投与を含む、請求項８に記載の使用。
【請求項１０】
前記医薬が、治療有効量で投与される、キシボルノール及び薬学的に許容される賦形剤を含む殺ウイルス性医薬組成物である、請求項１〜９のいずれか一項に記載の使用。
【請求項１１】
前記殺ウイルス性医薬組成物が、マウスウオッシュ、スプレー、口内分散性固体調製物、チューインガム、シロップ、キャンディ、ゲル、ペースト、点眼液、カプセル、マイクロカプセル、錠剤、ミニ錠剤、マイクロ錠剤、ペレット、多粒子、微粒化粒子、ピル、粉末、顆粒、マイクロ顆粒、座薬、ローション、軟膏、チンキ、又はクリームである、請求項１０に記載の使用。
【請求項１２】
前記組成物が、最大１０ｇのキシボルノール、好ましくは１〜７ｇのキシボルノール、より好ましくは３ｇのキシボルノールを含む、請求項１０又は１１に記載の使用。
【請求項１３】
前記組成物の体積に関して、最大１５重量％のキシボルノール、好ましくは最大１０重量％のキシボルノール、より好ましくは最大３重量％のキシボルノールを含む、請求項１０〜１２のいずれか１項に記載の使用のための殺ウイルス性医薬組成物。
【請求項１４】
前記組成物が単位剤形で投与され、各単位剤形が、最大１０ｍｇのキシボルノール、好ましくは４〜８ｍｇのキシボルノール、より好ましくは５〜７ｍｇのキシボルノール、更により好ましくは６ｍｇのキシボルノールを含む、請求項１０〜１３のいずれか１項に記載の使用。
【請求項１５】
前記組成物の単位剤形が、３〜８回／日、より好ましくは４〜６回／日で投与され、各回が、１〜９単位剤形、好ましくは１〜５単位剤形、より好ましくは１〜２単位剤形、更により好ましくは１単位剤形の投与を含む、請求項１４に記載の使用。
【請求項１６】
前記組成物が、経口的、鼻、鼻腔内、舌下、口内、筋肉内、静脈内、経皮的、皮下的、局所的、直腸的、又は眼の投与経路によって投与される、請求項１０〜１５のいずれか１項に記載の使用。
【請求項１７】
前記組成物が経口投与経路によって投与される、請求項１６に記載の使用。
【請求項１８】
前記組成物が、液体、懸濁液又はエマルジョンの形態で、経口投与経路によって投与される、請求項１７に記載の使用。
【請求項１９】
前記組成物が、スプレー又はマウスウオッシュとして、好ましくはスプレーとして処方される、請求項１８に記載の使用。
【請求項２０】
前記組成物が経口投与経路によって投与され、液体、懸濁液又はエマルジョンの形態であり、好ましくはスプレー又はマウスウオッシュとして処方され、当該医薬組成物の１００ｍＬ当たり最大１０ｇのキシボルノール、好ましくは１〜７ｇのキシボルノール、より好ましくは３ｇのキシボルノールを含む、請求項１６に記載の使用。
【請求項２１】
前記組成物が経口投与経路によって投与され、懸濁液の形態であり、スプレーとして処方され、当該医薬組成物の１００ｍＬ当たり最大１０ｇのキシボルノール、好ましくは１〜７ｇのキシボルノール、より好ましくは３ｇのキシボルノールを含む、請求項１６に記載の使用。
【請求項２２】
前記組成物が、懸濁液の形態であり、スプレーとして処方され、当該医薬組成物の１００ｍＬ当たり３ｇのキシボルノールを含み、４〜６回／日の経口経路によって投与される、請求項２１に記載の使用。
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
第１成分と第２成分とを含む二成分組成物であって、前記第１成分は１００〜６００ｍｇのアセチルサリチル酸と、任意で１種以上の医薬として許容される添加物とを含有し、前記第２成分は少なくとも１種の有機酸の医薬として許容される塩と、任意で１種以上の医薬として許容される添加物とを含有する水溶液を含み、
前記有機酸は、酢酸、乳酸、クエン酸、アスコルビン酸、マロン酸、コハク酸、グルタル酸、およびそれらの組合せからなる群より選択され、前記第２成分の水溶液のｐＨは、約８〜１１．５であり、前記水溶液中にアセチルサリチル酸を加えて溶解した後に得られる溶液のｐＨは、５〜８の範囲にある、二成分組成物。
【請求項２】
前記第２成分は、クエン酸の塩の水溶液を含む、請求項１に記載の二成分組成物。
【請求項３】
前記第２成分は、クエン酸ナトリウムまたはクエン酸カリウムの水溶液を含む、請求項１に記載の二成分組成物。
【請求項４】
前記第２成分は、クエン酸の塩および炭酸塩の水溶液を含む、請求項１〜３のいずれか一項に記載の二成分組成物。
【請求項５】
前記第２成分の水溶液の量は６ｍＬ〜５０ｍＬの範囲にある、請求項１〜４のいずれか１項に記載の二成分組成物。
【請求項６】
前記第２成分の量は８〜１５ｍＬの範囲にある、請求項５に記載の二成分組成物。
【請求項７】
前記第１成分中のアセチルサリチル酸の量は３００〜３２５ｍｇの範囲にあり、かつ前記第２成分の量は８〜１５ｍＬの範囲にある、請求項６に記載の二成分組成物。
【請求項８】
切迫した心筋梗塞の治療に使用される請求項１〜７のいずれか１項に記載の二成分組成物。
【請求項９】
アセチルサリチル酸の水溶液は、前記アセチルサリチル酸を前記第２成分に溶解したときに約２分以下以内に得られる、請求項８に記載の二成分組成物。
【請求項１０】
アセチルサリチル酸の水溶液は、前記アセチルサリチル酸を前記第２成分に溶解したときに約１分以下以内に得られる、請求項８に記載の二成分組成物。
【請求項１１】
アセチルサリチル酸の水溶液は前記アセチルサリチル酸を前記第２成分に溶解したときに約１０〜４０秒以内に得られる、請求項８〜１０のいずれか一項に記載の二成分組成物。
【請求項１２】
切迫した心筋梗塞の治療に使用される二成分組成物であって、
ａ）請求項１〜１１のいずれか１項に記載の二成分組成物を提供するステップと、
ｂ）医薬として許容される量のアセチルサリチル酸を含む第１成分を第２成分に含まれる有機酸の水溶液と混合するステップと、
を含むことによってアセチルサリチル酸の水溶液が得られる、二成分組成物。
【請求項１３】
前記アセチルサリチル酸の水溶液は、約２分以下以内に得られる、請求項１２に記載の二成分組成物。
【請求項１４】
前記アセチルサリチル酸の水溶液は、約１分以下以内に得られる、請求項１２に記載の二成分組成物。
【請求項１５】
第１チャンバおよび第２チャンバを備えたカプセルであって、第１チャンバは治療上許容される量のアセチルサリチル酸と、任意で１種以上の医薬として許容される添加物とを含み、前記第２チャンバは少なくとも１種の有機酸の医薬として許容される塩と任意で１種以上の医薬として許容される添加物とを含有する水溶液を含み、
前記有機酸の塩は、酢酸の塩、クエン酸の塩、アスコルビン酸の塩、およびそれらの組合せからなる群より選択され、前記第２チャンバの水溶液のｐＨは約８〜１１．５であり、前記水溶液中にアセチルサリチル酸を加えて溶解した後に得られる溶液のｐＨは、５〜８の範囲にある、カプセル。
【請求項１６】
前記第２チャンバは、クエン酸の塩の水溶液を含む、請求項１５に記載のカプセル。
【請求項１７】
前記第２チャンバは、クエン酸ナトリウムまたはクエン酸カリウムの水溶液を含む、請求項１５に記載のカプセル。
【請求項１８】
前記第２チャンバはクエン酸の塩および炭酸塩の水溶液を含む、請求項１５〜１７のいずれか一項に記載のカプセル。
【請求項１９】
切迫した心筋梗塞の治療に使用される、請求項１５〜１８のいずれか一項に記載のカプセル。
【請求項２０】
切迫した心筋梗塞の治療において使用されるカプセルであって、
ａ）請求項１５〜１９のいずれか１項に記載のカプセルを提供するステップと、
ｂ）医薬として許容される量のアセチルサリチル酸を含む第１チャンバを第２チャンバに含まれる有機酸の水溶液と混合して、アセチルサリチル酸の水溶液を得るステップと、
を含むことによってアセチルサリチル酸の水溶液が得られる、カプセル。
【請求項２１】
前記アセチルサリチル酸の水溶液は、約２分以下以内に得られる、請求項２０に記載のカプセル。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
濃縮懸濁液の非毒性農業製剤であって、乾性油と粒子材料とを含み、前記粒子材料は粘土鉱物粒子であり、該粘土鉱物粒子は前記乾性油中に懸濁されていて、
前記乾性油は製剤の４０〜９９重量％の量であり；
前記乾性油は亜麻仁油、桐油、ケシ油、グレープシード油、ベニバナ油、アッケシソウ油、月見草油、シソ油、クルミ油及びこれらの組み合わせからなる群から選択されるか、又は前記乾性油はα−リノール酸もしくはリノレン酸を含み；
前記粒子材料は製剤の４０〜９９重量％の量である、
製剤。
【請求項２】
農業の対象上で硬化コーティングを形成する、請求項１に記載の製剤。
【請求項３】
乾性油が、亜麻仁油である、請求項１に記載の製剤。
【請求項４】
粘土鉱物粒子が、カオリン粘土、スメクタイト粘土、イライト粘土、亜塩素酸塩粘土、セピオライト及びアタパルジャイトからなる群から選択される、請求項１に記載の製剤。
【請求項５】
粘土鉱物粒子がベントナイト鉱物粒子である、請求項１に記載の製剤。
【請求項６】
殺有害生物剤、除草剤、有益な細菌、有益な真菌、植物成長調節剤、フェロモン、日焼け止め剤、バイオ農薬、栄養素、植物油又は植物抽出物をさらに含む、請求項１に記載の製剤。
【請求項７】
さらなる粒子材料をさらに含む、請求項１に記載の製剤。
【請求項８】
さらなる粒子材料が、タルク、炭酸カルシウム、石膏、ケイ酸マグネシウム、ケイ酸カルシウム、コーンスターチ、セルロース繊維、サイリウム繊維、エチレンビスステアラミド、微結晶セルロース、ステアリン酸、パラフィンロウ、カルナウバロウ、ミツロウ、カオリン、及び二酸化チタンからなる群から選択される、請求項７に記載の製剤。
【請求項９】
界面活性剤をさらに含む、請求項１に記載の製剤。
【請求項１０】
界面活性剤が、アニオン性、カチオン性、非イオン性、生分解性、食品等級及び有機界面活性剤からなる群から選択される、請求項９に記載の製剤。
【請求項１１】
セルロース誘導体、ポリ乳酸、ポリグリコール酸及びポリ乳酸−グリコール酸からなる群から選択されるアジュバントをさらに含む、請求項１に記載の製剤。
【請求項１２】
塩又は硬化添加剤をさらに含む、請求項１に記載の製剤。
【請求項１３】
請求項１に記載の製剤で処理された表面を有する植物生産物。
【請求項１４】
農業の対象に対する有害生物による損傷を防ぐ、以下を含む方法：
前記農業の対象を請求項１に記載の製剤によりコーティングすること、ここで前記製剤は農業の対象上においてコーティングを形成し、該コーティングは有害生物による損傷を防ぐ。
【請求項１５】
農業の対象が植物の表面である、請求項１４に記載の方法。
【請求項１６】
植物の表面が、葉、果実、種子、液果、堅果、穀物、茎及び根からなる群から選択される、請求項１５に記載の方法。
【請求項１７】
植物の表面が、収穫物の表面である、請求項１６に記載の方法。
【請求項１８】
請求項１に記載の製剤を植物の表面に施用することによって、真菌植物病害の胞子による伝染を減少させる方法であって、前記真菌植物病害が病原性真菌胞子によって引き起こされ、
前記製剤との接触が、前記病原性真菌胞子が空気伝染する能力を妨害し、それによって前記真菌植物病害の胞子による伝染を減少させるか；又は
前記製剤との接触が、前記病原性真菌胞子が前記植物の表面上で発芽する能力を妨害し、それによって前記真菌植物病害の胞子による伝染を減少させる
方法。
【請求項１９】
請求項１に記載の製剤を、それを必要とする植物の表面に施用することを含む、植物を感染病害から保護する方法。
【請求項２０】
植物の感染病害が内因性微生物によって引き起こされるものである、請求項１９に記載の方法。
【請求項２１】
殺有害生物剤を含まない請求項１に記載の製剤。
【請求項２２】
水を含まない請求項１に記載の製剤。
【請求項２３】
亜麻仁油が生亜麻仁油又は煮亜麻仁油である請求項３に記載の製剤。
【請求項２４】
粒子材料の量が製剤の重量に対して２０％〜３５％である請求項１に記載の製剤。
【請求項２５】
損傷が、昆虫、動物、真菌、及び細菌からなる群から選択される有害生物によるものである、請求項１４に記載の製剤。
【請求項２６】
有害生物が昆虫である請求項２５に記載の方法。
【請求項２７】
コーティングが植物の表面に対する感覚認識の変化により有害生物を阻止する、請求項２５に記載の方法。
【請求項２８】
植物の表面が、異なる表面エネルギー、異なる滑りやすさ、昆虫の脚の生理学的構造との異なる適合性、異なる表面のきめ、異なる臭気プロフィール、異なる視覚的な外観、及び熱サインからなる群から選択される特性を無処理の植物表面と比較して有する、請求項２７に記載の方法。
【請求項２９】
感覚認識の変化により有害生物の行動が改変され、該有害生物が昆虫である、請求項２８に記載の方法。
【請求項３０】
行動が摂食行動又はグルーミング行動である、請求項２９に記載の方法。
【請求項３１】
コーティングが有害生物に付着することにより該有害生物を固定化する、請求項２６に記載の製剤。
【請求項３２】
昆虫がコーティングから逃れられない、請求項３１に記載の方法。
【請求項３３】
昆虫が農業の対象からコーティングを除去できない、請求項３２に記載の方法。
【請求項３４】
農業の対象が植物、果実又は野菜である請求項１４に記載の方法。
【請求項３５】
植物の表面が葉である請求項１５に記載の方法。
【請求項３６】
植物の表面が液果である請求項１５に記載の方法。
【請求項３７】
農業の対象が、製剤を該対象にスプレーすることによりコーティングされる、請求項１４に記載の方法。
【請求項３８】
コーティングが多孔質フィルムを形成するように適用される、請求項１４に記載の方法。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
有効量のサバジラアルカロイドとスピノシンを含む殺虫剤混合物。
【請求項２】
サバジラアルカロイドがサバジラ(Schoenocaulon officinale)に由来するものである、請求項１に記載の混合物。
【請求項３】
サバジラアルカロイドがベラトリジンおよびセバジンである、請求項１に記載の混合物。
【請求項４】
スピノシンがスピノサドである、請求項１に記載の混合物。
【請求項５】
スピノシンに対するサバジラアルカロイドの比が約１：１００〜約５０：１である、請求項１に記載の混合物。
【請求項６】
スピノシンに対するサバジラアルカロイドの比が約１：１〜約５０：１である、請求項１に記載の混合物。
【請求項７】
サバジラアルカロイドが約０．０５％〜約０．５％ｗ／ｗの濃度であり、ここでｗ／ｗは混合物全体の重量に対する重量を示す、請求項１に記載の混合物。
【請求項８】
スピノシンが約０．０１％〜約０．５％ｗ／ｗの濃度であり、ここでｗ／ｗは混合物全体の重量に対する重量を示す、請求項１に記載の混合物。
【請求項９】
溶媒、抗ケーキ化剤、安定化剤、消泡剤、スリップ剤、保湿剤、分散剤、湿潤剤、増粘剤、乳化剤、浸透剤、アジュバント、相乗剤、ポリマー、推進剤および／または防腐剤をさらに含む、請求項１に記載の混合物。
【請求項１０】
有害生物または有害生物の環境に対して有効量のサバジラアルカロイドおよびスピノシンを含む殺虫剤混合物を使用することを含む、有害生物を防除する方法。
【請求項１１】
有害生物が昆虫およびダニの少なくとも１つである、請求項１０に記載の方法。
【請求項１２】
有害生物がアブラムシ(Homoptera)、コナジラミ(Hemiptera)、アザミウマ(Thysanoptera)、トコジラミ(Hemiptera)、ノミ(Siphonaptera)、ケムシ／蠕虫(Lepidoptera)、甲虫(Coleoptera)、ゴキブリ(Blattodea)、ハエ(Diptera)、アリ(Hymenoptera)、蚊(Culicidae)およびダニ(Acari)から成る群から選択される、請求項１０に記載の方法。
【請求項１３】
有害生物がトコジラミ(Cimex lectularius)、モモアカアブラムシ(Myzus persicae)、イエバエ(Musca domestica)、ネッタイシマカ(Aedes aegypti)、ネッタイイエカ(Culex quinquefasciatus)、ガンビエハマダラカ(Anopheles gambiae)、ハマダラカ(Anopheles quadrimaculatus)およびチャバネゴキブリ(Blattella germanica)から成る群から選択される、請求項１０に記載の方法。
【請求項１４】
サバジラアルカロイドが有害生物または有害生物の環境に対して１ヘクタールあたり約１〜約１０００グラムの割合で使用される、請求項１０に記載の方法。
【請求項１５】
サバジラアルカロイドが有害生物または有害生物の環境に対して１ヘクタールあたり約１０〜約７００グラムの割合で使用される、請求項１０に記載の方法。
【請求項１６】
サバジラアルカロイドが有害生物または有害生物の環境に対して１ヘクタールあたり約２２〜約５６０グラムの割合で使用される、請求項１０に記載の方法。
【請求項１７】
スピノシンが有害生物または有害生物の環境に対して１ヘクタールあたり約１〜約１０００グラムの割合で使用される、請求項１０に記載の方法。
【請求項１８】
スピノシンが有害生物または有害生物の環境に対して１ヘクタールあたり約１０〜約２００グラムの割合で使用される、請求項１０に記載の方法。
【請求項１９】
スピノシンが有害生物または有害生物の環境に対して１ヘクタールあたり約３８〜約１７２グラムの割合で使用される、請求項１０に記載の方法。
【請求項２０】
スピノシンが有害生物または有害生物の環境に対して１ヘクタールあたり約７７０グラムの割合で使用される、請求項１０に記載の方法。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
薬学的に許容し得る担体と、下記式：
【化１】
2019520389.tif 000001
(式中：
RはCであり；
R2は独立してH、ヒドロキシ、ハロゲン、ニトロ、CF3、C1-6アルキル、C1-6アルコキシ、C3-10シクロアルキル、１又は２以上のR2、R3及びR4で置換されていてもいなくてもよいＣ、Ｏ、Ｓ若しくはＮを含有するC3-8員環であり、１又は２以上のR2、R3若しくはR5と共に環化して置換又は非置換の、Ｃ、Ｏ、Ｓ若しくはＮを含有するC3-8員環を形成してもよい；
R3はH、ヒドロキシ、ハロゲン、ニトロ、CF3、C1-6アルキル、C1-6アルコキシ、C3-10シクロアルキル、１又は２以上のR4、R2及びR3で置換していてもいなくてもよいＣ、Ｏ、Ｓ若しくはＮを含有するC3-8員環であり、１又は２以上のR2又はR5と共に環化して置換若しくは非置換の、Ｃ、Ｏ、Ｓ若しくはＮを含有するC3-8員環を形成してもよい；
R4はH、ヒドロキシ、ハロゲン、ニトロ、CF3、C1-6アルキル、C1-6アルコキシ、C3-10シクロアルキル、１又は２以上のR4、R2及びR3で置換していてもいなくてもよいＣ、Ｏ、Ｓ若しくはＮを含有するC3-8員環であり、１又は２以上のR2、R3若しくはR5と共に環化して置換又は非置換の、Ｃ、Ｏ、Ｓ若しくはＮを含有するC3-8員環を形成してもよい；
R5は結合手、H、ヒドロキシ、ハロゲン、ニトロ、CF3、C1-6アルキル、C1-6アルコキシ、C3-10シクロアルキル、１又は２以上のR4、R2及びR3で置換していてもいなくてもよいＣ、Ｏ、Ｓ若しくはＮを含有するC3-8員環であり、１又は２以上のR2、R3若しくはR4と共に環化して、置換若しくは非置換の、Ｃ、Ｏ、Ｓ若しくはＮを含有するC3-8員環を形成してもよい)
の化合物又はそのステレオアイソマー若しくはアナログ或いはその塩とを含んでなる、心房細動を治療、予防又は寛解する医薬組成物。
【請求項２】
前記化合物が、既知の副作用を有する心房細動の治療、予防又は寛解のための医薬と共に投与される請求項１に記載の医薬組成物。
【請求項３】
薬学的に許容し得る担体と、下記式：
【化２】
2019520389.tif 000002
(式中：
RはCであり；
R2は独立してH、ヒドロキシ、ハロゲン、ニトロ、CF3、C1-6アルキル、C1-6アルコキシ、C3-10シクロアルキル、１又は２以上のR2、R3及びR4で置換されていてもいなくてもよいＣ、Ｏ、Ｓ若しくはＮを含有するC3-8員環であり、１又は２以上のR2、R3若しくはR5と共に環化して置換又は非置換の、Ｃ、Ｏ、Ｓ若しくはＮを含有するC3-8員環を形成してもよい；
R3はH、ヒドロキシ、ハロゲン、ニトロ、CF3、C1-6アルキル、C1-6アルコキシ、C3-10シクロアルキル、１又は２以上のR4、R2及びR3で置換していてもいなくてもよいＣ、Ｏ、Ｓ若しくはＮを含有するC3-8員環であり、１又は２以上のR2又はR5と共に環化して置換若しくは非置換の、Ｃ、Ｏ、Ｓ若しくはＮを含有するC3-8員環を形成してもよい；
R4はH、ヒドロキシ、ハロゲン、ニトロ、CF3、C1-6アルキル、C1-6アルコキシ、C3-10シクロアルキル、１又は２以上のR4、R2及びR3で置換していてもいなくてもよいＣ、Ｏ、Ｓ若しくはＮを含有するC3-8員環であり、１又は２以上のR2、R3若しくはR5と共に環化して置換又は非置換の、Ｃ、Ｏ、Ｓ若しくはＮを含有するC3-8員環を形成してもよい；
R5は結合手、H、ヒドロキシ、ハロゲン、ニトロ、CF3、C1-6アルキル、C1-6アルコキシ、C3-10シクロアルキル、１又は２以上のR4、R2及びR3で置換していてもいなくてもよいＣ、Ｏ、Ｓ若しくはＮを含有するC3-8員環であり、１又は２以上のR2、R3若しくはR4と共に環化して、置換若しくは非置換の、Ｃ、Ｏ、Ｓ若しくはＮを含有するC3-8員環を形成してもよい)
の化合物又はそのステレオアイソマー若しくはアナログ或いはその塩とを含んでなる、心房性不整脈を治療、予防又は寛解する医薬組成物。
【請求項４】
前記化合物が次の式：
【化３】
2019520389.tif 000003
(式中：
RはCであり；
R2は独立してH、置換又は非置換のアルキルであり；
R3はH、ハロゲン、アルコキシ、ヒドロキシル、ニトロであり；
R4はH、置換又は非置換のアルキル、カルボキシルである)
のもの又はそのステレオアイソマー若しくはアナログ或いはその塩である、請求項１〜３のいずれか１項に記載の医薬組成物。
【請求項５】
前記化合物が
【化４】
2019520389.tif 000004
又はその薬学的に許容し得る塩である、請求項１〜４のいずれか１項に記載の医薬組成物。
【請求項６】
前記化合物が
【化５】
2019520389.tif 000005
又はその薬学的に許容し得る塩である、請求項１〜５のいずれか１項に記載の医薬組成物。
【請求項７】
前記化合物がサリチルアミン(2-ヒドロキシベンジルアミン又は2-HOBA)である、請求項１〜６のいずれか１項に記載の医薬組成物。
【請求項８】
前記化合物が
【化６】
2019520389.tif 000006
又はその薬学的に許容し得る塩である、請求項〜４のいずれか１項に記載の医薬組成物。
【請求項９】
前記化合物が
【化７】
2019520389.tif 000007
又はその薬学的に許容し得る塩である、請求項１〜４のいずれか１項に記載の医薬組成物。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
精製されたＦａｅｃａｌｉｂａｃｔｅｒｉｕｍ株と精製されたＯｄｏｒｉｂａｃｔｅｒ  ｓｐｌａｎｃｈｎｉｃｕｓを含む糞便微生物調製物を含む凍結乾燥薬学的組成物を含む経口カプセルであって、前記糞便微生物調製物が、Ｆｕｓｏｂａｃｔｅｒｉｕｍ属及びＲｕｍｉｎｏｃｏｃｃｕｓ属を欠き、前記糞便微生物調製物が、Ｆａｅｃａｌｉｂａｃｔｅｒｉｕｍ増殖刺激剤の存在下でＦｕｓｏｂａｃｔｅｒｉｕｍの増殖を阻害またはアンタゴナイズし、前記精製されたＦａｅｃａｌｉｂａｃｔｅｒｉｕｍ株と前記Ｏｄｏｒｉｂａｃｔｅｒ  ｓｐｌａｎｃｈｎｉｃｕｓの少なくとも1種は、健康なヒトドナーの便から由来する、経口カプセル。
【請求項２】
前記Ｆａｅｃａｌｉｂａｃｔｅｒｉｕｍ株が、Ｆａｅｃａｌｉｂａｃｔｅｒｉｕｍ  ｐｒａｕｓｎｉｔｚｉｉを含む、請求項１に記載の経口カプセル。
【請求項３】
前記増殖刺激剤が、リンゴペクチン、Ｎ−アセチルグルコサミン、システイン、グルタチオン、リボフラビン、およびフラビンからなる群から選択される、請求項１に記載の経口カプセル。
【請求項４】
前記増殖刺激剤を含む、請求項１に記載の経口カプセル。
【請求項５】
前記糞便微生物調製物が、複数の精製されたＦａｅｃａｌｉｂａｃｔｅｒｉｕｍ株を含む、請求項１に記載の経口カプセル。
【請求項６】
前記糞便微生物調製物が、Ｅｕｂａｃｔｅｒｉｕｍ  ｒｅｃｔａｌｅ、Ａｋｋｅｒｍａｎｓｉａ属、Ａｌｉｓｔｉｐｅｓ属、Ｂａｃｔｅｒｏｉｄｅｓ属、及びＲｏｓｅｂｕｒｉａ属からなる群から選択される細菌をさらに含む、請求項１に記載の経口カプセル。
【請求項７】
精製されたＦａｅｃａｌｉｂａｃｔｅｒｉｕｍ株と精製されたＯｄｏｒｉｂａｃｔｅｒ  ｓｐｌａｎｃｈｎｉｃｕｓを含む糞便微生物調製物、及びＦａｅｃａｌｉｂａｃｔｅｒｉｕｍ増殖刺激剤を含む薬学的組成物の、その必要のあるヒト対象における炎症性腸疾患（ＩＢＤ）を治療するための治療的適用のための医薬の製造のための使用であって、前記糞便微生物調製物が、Ｆｕｓｏｂａｃｔｅｒｉｕｍ属及びＲｕｍｉｎｏｃｏｃｃｕｓ属を欠き、前記薬学的組成物が、薬学的に活性な用量を含む、使用。
【請求項８】
前記Ｆａｅｃａｌｉｂａｃｔｅｒｉｕｍ増殖刺激剤が、第２の組成物において前記対象に投与される、請求項７に記載の薬学的組成物の使用。
【請求項９】
前記ＩＢＤが、潰瘍性大腸炎である、請求項７に記載の薬学的組成物の使用。
【請求項１０】
前記治療が、前記ヒト対象に抗生物質事前治療を投与することをさらに含む、請求項７に記載の薬学的組成物の使用。
【請求項１１】
前記増殖刺激剤が、リンゴペクチン、Ｎ−アセチルグルコサミン、システイン、グルタチオン、リボフラビン、およびフラビンからなる群から選択される、請求項７に記載の薬学的組成物の使用。
【請求項１２】
前記糞便微生物調製物が、複数の精製されたＦａｅｃａｌｉｂａｃｔｅｒｉｕｍ株を含む、請求項７に記載の薬学的組成物の使用。
【請求項１３】
前記糞便微生物調製物が、Ｅｕｂａｃｔｅｒｉｕｍ  ｒｅｃｔａｌｅ、Ａｋｋｅｒｍａｎｓｉａ属、Ａｌｉｓｔｉｐｅｓ属、Ｂａｃｔｅｒｏｉｄｅｓ属、及びＲｏｓｅｂｕｒｉａ属からなる群から選択される細菌をさらに含む、請求項７に記載の薬学的組成物の使用。
【請求項１４】
前記ヒト対象の腸におけるＦｕｓｏｂａｃｔｅｒｉｕｍ種の増殖を阻害またはアンタゴナイズする、請求項７に記載の薬学的組成物の使用。
【請求項１５】
前記Ｆａｅｃａｌｉｂａｃｔｅｒｉｕｍ株が、Ｆａｅｃａｌｉｂａｃｔｅｒｉｕｍ  ｐｒａｕｓｎｉｔｚｉｉである、請求項７に記載の薬学的組成物の使用。
【請求項１６】
精製されたＦａｅｃａｌｉｂａｃｔｅｒｉｕｍ株と精製されたＯｄｏｒｉｂａｃｔｅｒ  ｓｐｌａｎｃｈｎｉｃｕｓを含む糞便微生物調製物を含む凍結乾燥薬学的組成物を含むキットであって、前記糞便微生物調製物が、Ｆｕｓｏｂａｃｔｅｒｉｕｍ属及びＲｕｍｉｎｏｃｏｃｃｕｓ属を欠き、少なくとも１種のＦａｅｃａｌｉｂａｃｔｅｒｉｕｍ種のための１種以上の増殖刺激剤をさらに含む、キット。
【請求項１７】
前記１種以上の増殖刺激剤が、第２の組成物において前記キットに存在する、請求項１６に記載のキット。
【請求項１８】
前記糞便微生物調製物が、複数の精製されたＦａｅｃａｌｉｂａｃｔｅｒｉｕｍ株を含む、請求項１６に記載のキット。
【請求項１９】
前記Ｆａｅｃａｌｉｂａｃｔｅｒｉｕｍ株が、Ｆａｅｃａｌｉｂａｃｔｅｒｉｕｍ  ｐｒａｕｓｎｉｔｚｉｉである、請求項１６に記載のキット。
【請求項２０】
前記増殖刺激剤が、リンゴペクチン、Ｎ−アセチルグルコサミン、システイン、グルタチオン、リボフラビン、およびフラビンからなる群から選択される、請求項１６に記載のキット。  
【請求項２１】
前記増殖刺激剤が、食物繊維である、請求項１に記載の経口カプセル。
【請求項２２】
前記増殖刺激剤が、食物繊維である、請求項７に記載の薬学的組成物の使用。
【請求項２３】
前記増殖刺激剤が、食物繊維である、請求項１６に記載のキット。